(57)【要約】【課題】同一契約下のマスタ−スレイブ端末間において適切なタイミングで回線切替を行うことができる回線切替装置を提供する。【解決手段】スレイブ端末の回線切替の対象として認証済みの端末であるマスタ端末の加速度の時系列データと、マスタ端末の回線切替の対象として認証済みの端末であるスレイブ端末の加速度の時系列データを受信する通信部と、マスタ端末とスレイブ端末の同時刻における加速度の差分値に基づいて、マスタ端末からスレイブ端末に、またはスレイブ端末からマスタ端末に、回線を切り替えるか否かを判定する判定部と、判定の結果に基づいて回線切替を実行する回線切替部とを含む。【選択図】図２
2015041862.tif 000002
【特許請求の範囲】
【請求項１】
スレイブ端末の回線切替の対象として認証済みの端末であるマスタ端末の加速度の時系列データと、前記マスタ端末の回線切替の対象として認証済みの端末である前記スレイブ端末の加速度の時系列データを受信する通信部と、
前記マスタ端末と前記スレイブ端末の同時刻における加速度の差分値に基づいて、前記マスタ端末から前記スレイブ端末に、または前記スレイブ端末から前記マスタ端末に、回線を切り替えるか否かを判定する判定部と、
前記判定の結果に基づいて前記回線切替を実行する回線切替部と、
を含む回線切替装置。
【請求項２】
スレイブ端末の回線切替の対象として認証済みの端末であるマスタ端末の加速度の時系列データと、前記マスタ端末の回線切替の対象として認証済みの端末である前記スレイブ端末の加速度の時系列データを受信する通信部と、
前記マスタ端末と前記スレイブ端末の同時刻における加速度の差分値に基づいて、前記マスタ端末から前記スレイブ端末に、または前記スレイブ端末から前記マスタ端末に、回線を切り替えるか否かを判定する判定部と、
前記判定の結果に基づいて前記回線切替を実行する回線切替部と、
を含む回線切替装置と、
前記マスタ端末の加速度の時系列データを取得するマスタ加速度取得部と、
前記マスタ端末の加速度の時系列データを前記回線切替装置に送信するマスタ通信部と、
を含むマスタ端末と、
前記スレイブ端末の加速度の時系列データを取得するスレイブ加速度取得部と、
前記スレイブ端末の加速度の時系列データを前記回線切替装置に送信するスレイブ通信部と、
を含むスレイブ端末と、
を含む回線切替システム。
【請求項３】
請求項２に記載の回線切替システムであって、
前記スレイブ端末が車載用の通信端末である
回線切替システム。
【請求項４】
スレイブ端末の回線切替の対象として認証済みのマスタ端末の加速度の時系列データを取得するマスタ加速度取得部と、
前記マスタ端末の回線切替の対象として認証済みの端末である前記スレイブ端末の加速度の時系列データを前記スレイブ端末から受信するマスタ通信部と、
前記マスタ端末と前記スレイブ端末の同時刻における加速度の差分値に基づいて、前記マスタ端末から前記スレイブ端末に、または前記スレイブ端末から前記マスタ端末に、回線を切り替えるか否かを判定する判定部とを含む
通信端末。
【請求項５】
スレイブ端末の回線切替の対象として認証済みの端末であるマスタ端末と、前記マスタ端末の回線切替の対象として認証済みの端末である前記スレイブ端末と、前記回線切替を実行する装置である回線切替装置とが実行する回線切替方法であって、
前記マスタ端末は、
前記マスタ端末の加速度の時系列データを取得するマスタ加速度取得ステップと、
前記マスタ端末の加速度の時系列データを前記回線切替装置に送信するマスタ通信ステップを実行し、
前記スレイブ端末は、
前記スレイブ端末の加速度の時系列データを取得するスレイブ加速度取得ステップと、
前記スレイブ端末の加速度の時系列データを前記回線切替装置に送信するスレイブ通信ステップを実行し、
前記回線切替装置は、
前記マスタ端末の加速度の時系列データと、前記スレイブ端末の加速度の時系列データを受信する通信ステップと、
前記マスタ端末と前記スレイブ端末の同時刻における加速度の差分値に基づいて、前記マスタ端末から前記スレイブ端末に、または前記スレイブ端末から前記マスタ端末に、回線を切り替えるか否かを判定する判定ステップと、
前記判定の結果に基づいて前記回線切替を実行する回線切替ステップを実行する
回線切替方法。
【請求項６】
スレイブ端末の回線切替の対象として認証済みのマスタ端末の加速度の時系列データを取得するマスタ加速度取得ステップと、
前記マスタ端末の回線切替の対象として認証済みの端末である前記スレイブ端末の加速度の時系列データを前記スレイブ端末から受信するマスタ通信ステップと、
前記マスタ端末と前記スレイブ端末の同時刻における加速度の差分値に基づいて、前記マスタ端末から前記スレイブ端末に、または前記スレイブ端末から前記マスタ端末に、回線を切り替えるか否かを判定する判定ステップとを含む
回線切替方法。
【請求項７】
コンピュータを、請求項４に記載の通信端末として機能させるためのプログラム。
【発明の詳細な説明】
【技術分野】
【０００１】
本発明は、同一契約下のマスタ−スレイブ端末間において回線切替を実行する回線切替装置、回線切替システム、通信端末、回線切替方法、プログラムに関する。
【背景技術】
【０００２】
通信端末を用いる際、その専用スロットに加入者識別モジュールを挿入するのが一般的である。加入者識別モジュールとは、通信端末で使われている電話番号を特定するための固有のＩＤ番号が記録されたモジュール（ＩＣカード）のことである。加入者識別モジュールは、準拠している規格に応じてＵＩＣＣ、ＳＩＭ、ＵＩＭ、ＵＳＩＭなどと呼び分けられる。ＳＩＭは通信方式を区別せずにこれらの総称として用いられる場合もある。例えばＳＩＭカードには、ＩＭＳＩ（International Mobile Subscriber Identity）と呼ばれる固有の番号が付与されており、これと電話番号を結びつけることにより通信が可能となる。ＳＩＭカードを抜き差しすることで、電話番号（回線）を他の通信端末に移したり、ひとつの通信端末で複数の電話番号（回線）を切替えて使用したりすることができる。また、１回線の契約に対して複数のＳＩＭカードを紐付けることにより、１回線の契約で複数の端末が利用できるマルチＳＩＭカードサービスなどが知られている（非特許文献１）。
【先行技術文献】
【非特許文献】
【０００３】
【非特許文献１】”livedoorNEWS IT”、インデックス”［世界のモバイル］１回線契約なのに複数の端末が利用できる！海外のマルチＳＩＭカードサービスの恩恵”[online]、山根康宏、[平成２５年７月２９日検索]、インターネット<URL: http://news.livedoor.com/article/detail/3302946/?p=1>
【発明の概要】
【発明が解決しようとする課題】
【０００４】
例えば、マスタ端末をユーザの通信端末とし、スレイブ端末を車載のカーナビゲーションシステムとして、マスタ端末搭載のＳＩＭカードと、スレイブ端末搭載のＳＩＭカードとを１回線の契約に対して紐付けして、一人のユーザがマスタ−スレイブ端末間の回線を切り替えながら用いる例について考える。この場合、ユーザが自動車内にいる場合には、スレイブ端末側に回線が自動的に切り替わり、ユーザがマスタ端末を携帯して車外に出た場合には、マスタ端末側に回線が自動的に切り替わることが望ましい。しかしながら、従来は回線の適切な切り替えタイミングを知ることができなかったため、適切に回線の切り替えを行うことができなかった。そこで、本発明では、同一契約下のマスタ−スレイブ端末間において適切なタイミングで回線切替を行うことができる回線切替装置を提供することを目的とする。
【課題を解決するための手段】
【０００５】
本発明の回線切替装置は、通信部と、判定部と、回線切替部とを含む。通信部は、スレイブ端末の回線切替の対象として認証済みの端末であるマスタ端末の加速度の時系列データと、マスタ端末の回線切替の対象として認証済みの端末であるスレイブ端末の加速度の時系列データを受信する。判定部は、マスタ端末とスレイブ端末の同時刻における加速度の差分値に基づいて、マスタ端末からスレイブ端末に、またはスレイブ端末からマスタ端末に、回線を切り替えるか否かを判定する。回線切替部は、判定の結果に基づいて回線切替を実行する。
【発明の効果】
【０００６】
本発明の回線切替装置によれば、同一契約下のマスタ−スレイブ端末間において適切なタイミングで回線切替を行うことができる。
【図面の簡単な説明】
【０００７】
【図１】本発明の実施例１の回線切替システムの概要を示す図。
【図２】本発明の実施例１の回線切替システムの構成を示すブロック図。
【図３】本発明の実施例１の回線切替システムの認証動作を示すシーケンス図。
【図４】本発明の実施例１の回線切替システムの回線切替動作を示すシーケンス図。
【図５】各端末で取得される加速度の時系列データを例示する図。
【図６】本発明の実施例２の回線切替システムの概要を示す図。
【図７】本発明の実施例２の回線切替システムの構成を示すブロック図。
【図８】本発明の実施例２の回線切替システムの回線切替動作を示すシーケンス図。
【発明を実施するための形態】
【０００８】
＜用語の説明：通信端末＞
通信端末とは、電話機、特に携帯電話機やＰＨＳ電話機、又は通信機能を備えた端末、機器の総称である。
【０００９】
以下、本発明の実施の形態について、詳細に説明する。なお、同じ機能を有する構成部には同じ番号を付し、重複説明を省略する。
【実施例１】
【００１０】
以下、図１を参照して実施例１の回線切替システムの概要について説明する。図１は、本実施例の回線切替システムの概要を示す図である。図１に示すように、本実施例の回線切替システム１００は、回線切替装置１と、マスタ端末２と、スレイブ端末３を含む構成である。回線切替装置１と、マスタ端末２と、スレイブ端末３は、相互にＮＷ９を通じてデータ通信可能である。仮想的なデータ通信経路を図１、図２中に破線矢印として示した。また本実施例では、マスタ端末２とスレイブ端末３とは、後述する識別情報を通信する通信方法を備えるものとする。仮想的なデータ通信経路を図１、図２中に一点鎖線矢印として示した。本実施例では、マスタ端末２はユーザ所有の、携帯可能な通信端末であるものとし、スレイブ端末３は車載用の通信端末であるものとする。マスタ端末２、スレイブ端末３はそれぞれＳＩＭカードを搭載しており、これら２つのＳＩＭカードは前述のユーザが所有する１回線の契約に紐付けられており、マスタ端末２からスレイブ端末３に、スレイブ端末３からマスタ端末２に、回線を切り替えることができるものとする。
【００１１】
以下、図２を参照して、本実施例の回線切替システム１００に含まれる各装置の構成を説明する。図２は、本実施例の回線切替システム１００の構成を示すブロック図である。図２に示すように、回線切替装置１は、通信部１３と、認証部１４と、判定部１６と、回線切替部１７とを含む。マスタ端末２は、マスタ識別情報通信部２１と、回線開通要求部２２と、マスタ通信部２３と、マスタ認証部２４と、マスタ加速度取得部２５とを含む。スレイブ端末３は、スレイブ識別情報通信部３１と、スレイブ通信部３３と、スレイブ認証部３４と、スレイブ加速度取得部３５とを含む。
【００１２】
以下、図３を参照して本実施例の回線切替システム１００の認証動作について説明する。図３は本実施例の回線切替システム１００の認証動作を示すシーケンス図である。図３に示すように、スレイブ端末３のスレイブ識別情報通信部３１は、マスタ端末２に自端末の識別情報を送信する（Ｓ３１）。マスタ端末２のマスタ識別情報通信部２１は、スレイブ端末の識別情報を受信する（Ｓ２１）。ステップＳ３１、Ｓ２１における通信は、例えばＢｌｕｅｔｏｏｔｈ（登録商標）などの近距離無線通信で実行することも可能であるし、例えばステップＳ３１の代わりに、スレイブ端末３が自身の識別情報を２次元コード情報として画面表示し、マスタ端末２が、ステップＳ２１の代わりに当該２次元コード情報をカメラなどで読み取ることで、識別情報を取得することとしてもよい。
【００１３】
次に、マスタ端末２の回線開通要求部２２は、スレイブ端末３の識別情報を含む回線開通要求を生成する（Ｓ２２）。マスタ端末２のマスタ通信部２３は、回線切替装置１に回線開通要求を送信する（Ｓ２３Ａ）。回線切替装置１の通信部１３は、マスタ端末２からスレイブ端末３の識別情報を含む回線開通要求を受信する（Ｓ１３Ａ）。回線切替装置１の認証部１４は、マスタ端末２、スレイブ端末３に対して必要な認証動作を実行する。同様に、マスタ端末２のマスタ認証部２４、スレイブ端末３のスレイブ認証部３４も必要な認証動作を実行する（Ｓ２４、Ｓ３４）。ここで行われる認証動作は従来技術であるためその詳細は割愛する。この認証動作の際に必要となるデータ通信は通信部１３、マスタ通信部２３、スレイブ通信部３３のいずれかが実行するものとする。この認証動作により、マスタ端末２はスレイブ端末３の回線切替の対象として認証され、スレイブ端末３はマスタ端末２の回線切替の対象として認証される。
【００１４】
以下、図４を参照して本実施例の回線切替システム１００の回線切替動作について説明する。図４は本実施例の回線切替システム１００の回線切替動作を示すシーケンス図である。図４の回線切替動作は図３の認証実行後に行われるものとする。図４に示すように、マスタ端末２のマスタ加速度取得部２５は、マスタ端末２の加速度の時系列データを取得する（Ｓ２５）。同様に、スレイブ端末３のスレイブ加速度取得部３５は、スレイブ端末３の加速度の時系列データを取得する（Ｓ３５）。マスタ加速度取得部２５、スレイブ加速度取得部３５は例えば加速度センサなどでよい。加速度センサとしては、例えば３軸加速度センサモジュールを用いることができる。マスタ端末２のマスタ通信部２３は、マスタ端末２の加速度の時系列データを回線切替装置１に送信する（Ｓ２３Ｂ）。スレイブ端末３のスレイブ通信部３３は、スレイブ端末３の加速度の時系列データを回線切替装置１に送信する（Ｓ３３Ｂ）。回線切替装置１の通信部１３は、マスタ端末２の加速度の時系列データと、スレイブ端末３の加速度の時系列データを受信する（Ｓ１３Ｂ）。回線切替装置１の判定部１６は、マスタ端末２とスレイブ端末３の同時刻における加速度の差分値に基づいて、マスタ端末２からスレイブ端末３に、またはスレイブ端末３からマスタ端末２に、回線を切り替えるか否かを判定する（Ｓ１６）。判定結果が切替実行である場合に、通信部１３はマスタ端末２に対して回線切替通知を送信する（Ｓ１３Ｃ）。マスタ端末２のマスタ通信部２３は、回線切替通知を受信して（Ｓ２３Ｃ）、ＡＣＫ（ACKnowledgement）信号を送信する（Ｓ２３Ｄ）。回線切替装置１の通信部１３は、ＡＣＫ信号を受信する（Ｓ１３Ｄ）。回線切替部１７は、判定の結果に基づいて回線切替を実行する（Ｓ１７）。
【００１５】
以下、ステップＳ１６の判定動作の詳細について、図５の例を参照して具体的に説明する。図５は各端末で取得される加速度の時系列データを例示する図である。図５のグラフは、縦軸を加速度の絶対値とし、横軸を時刻として表示している。マスタ端末の加速度の時系列データ（絶対値）を黒三角形の記号とし各記号を破線でつないで示した。スレイブ端末の加速度の時系列データ（絶対値）を白丸の記号とし各記号を実線でつないで示した。図５のグラフにおいては時刻をｔ１、ｔ２、…、ｔ１２などと表記する。図５の例では、時刻ｔ０１〜ｔ０７の範囲において、ユーザは自動車を運転中だったものとし、マスタ端末２はスレイブ端末３を搭載した自動車内に存在したものとする。一方、時刻ｔ０８〜ｔ１２の範囲において、ユーザはスレイブ端末３を搭載した自動車を停車させ、自動車外に出て歩行中だったものとし、マスタ端末２は、ユーザに携帯されていたものとする。この場合、時刻ｔ０１〜ｔ０７の範囲においては、マスタ端末２はスレイブ端末３を搭載した自動車内に存在しているため、マスタ端末２に加えられる加速度は、スレイブ端末３に加えられる加速度に近似する。マスタ端末２とスレイブ端末３は同じ環境下にあるため、加速度の時系列推移も似通ったものとなる（図５のｔ１〜ｔ７区間参照）。時刻ｔ０８〜ｔ１２の範囲においては、スレイブ端末３を搭載した自動車は停車中であるため、スレイブ端末３において０または０に近い加速度値が観測される。一方、マスタ端末２は歩行するユーザにより携帯されているため、マスタ端末２において歩行時の特徴を備える加速度値が観測される。このように、マスタ端末２がスレイブ端末３を搭載した自動車内に存在する場合には、各端末で取得される加速度の絶対値の差分は小さくなる一方、マスタ端末２がスレイブ端末３搭載の自動車内に存在しない場合には、各端末で取得される加速度の絶対値の差分は大きくなる傾向がある。そこで、回線切替装置１の判定部１６は、各端末で取得される同時刻における加速度の絶対値の差分が所定の域値以下となる場合には、回線をスレイブ端末３に切り替え、各端末で取得される同時刻における加速度の絶対値の差分が所定の域値を超過する場合には、回線をマスタ端末２に切り替えるものとして、回線切替の判定を実行する（Ｓ１６）。前述したように加速度取得部が３軸加速度センサモジュールで実装されている場合、ここで用いられる加速度の時系列データ（絶対値）は、３軸方向の平均値であってもよい。また、３軸それぞれの加速度の時系列データに対して差分値が取得され、ステップＳ１６の判定に用いられてもよい。図５の例で加速度を絶対値として扱ったが、これは走行中の自動車の加速減速に伴い、加速度の符号が変動し続ける場合があるため、データをスカラー量として単純化したものである。もちろん、判定部１６では加速度の絶対値の時系列の代わりに、ベクトル量である符号付きの加速度の時系列を用いることとしてもよい。
【００１６】
このように、本実施例の回線切替システム１００によれば、回線切替装置１の判定部１６が、同一契約下にあるものとして認証されたマスタ端末２とスレイブ端末３の同時刻における加速度の差分値に基づいて回線切替判定を行うため、同一契約下のマスタ−スレイブ端末間において適切なタイミングで回線切替を行うことができる。
【実施例２】
【００１７】
以下、実施例１の回線切替装置１が備える判定部１６をマスタ端末側に移動した実施例である実施例２の回線切替システムの概要について図６を参照して説明する。図６は、本実施例の回線切替システムの概要を示す図である。図６に示すように、本実施例の回線切替システム２００は、回線切替装置４と、マスタ端末５と、スレイブ端末３を含む構成である。実施例１同様、回線切替装置４と、マスタ端末５と、スレイブ端末３は、相互にＮＷ９を通じてデータ通信可能である。仮想的なデータ通信経路を図６、図７中に破線矢印として示した。実施例１同様、マスタ端末５とスレイブ端末３とは、識別情報を通信する通信方法を備えるものとする。仮想的なデータ通信経路を図６、図７中に一点鎖線矢印として示した。実施例１同様、マスタ端末５はユーザ所有の、携帯可能な通信端末であるものとする。実施例１同様、マスタ端末５、スレイブ端末３はそれぞれＳＩＭカードを搭載しており、これら２つのＳＩＭカードは前述のユーザが所有する１回線の契約に紐付けられており、マスタ端末５からスレイブ端末３に、スレイブ端末３からマスタ端末５に、回線を切り替えることができるものとする。
【００１８】
以下、図７を参照して、本実施例の回線切替システム２００に含まれる各装置の構成を説明する。図７は、本実施例の回線切替システム２００の構成を示すブロック図である。図２に示すように、回線切替装置４は、通信部１３と、認証部１４と、回線切替部１７とを含み、実施例１との違いは判定部１６が存在しない点のみである。マスタ端末５は、マスタ識別情報通信部２１と、回線開通要求部２２と、マスタ通信部２３と、マスタ認証部２４と、マスタ加速度取得部２５と、判定部５６とを含み、実施例１との違いは、判定部５６を新たに含む点のみである。スレイブ端末３は、実施例１と同様であるから説明を割愛する。
【００１９】
本実施例の回線切替システム２００の認証動作は図３で説明した動作と全く同じであるから説明を割愛する。
【００２０】
以下、図７を参照して本実施例の回線切替システム２００の回線切替動作について説明する。図７は本実施例の回線切替システム２００の回線切替動作を示すシーケンス図である。図７の回線切替動作は図３の認証実行後に行われるものとする。図７に示すように、マスタ端末５のマスタ加速度取得部２５は、マスタ端末５の加速度の時系列データを取得する（Ｓ２５）。スレイブ端末３のスレイブ加速度取得部３５は、スレイブ端末３の加速度の時系列データを取得する（Ｓ３５）。スレイブ端末３のスレイブ通信部３３は、スレイブ端末３の加速度の時系列データをマスタ端末５に送信する（Ｓ３３Ｅ）。マスタ端末５のマスタ通信部２３は、スレイブ端末３の加速度の時系列データをスレイブ端末３から受信する（Ｓ２３Ｅ）。マスタ端末５の判定部５６は、マスタ端末５とスレイブ端末３の同時刻における加速度の差分値に基づいて、マスタ端末５からスレイブ端末３に、またはスレイブ端末３からマスタ端末５に、回線を切り替えるか否かを判定する（Ｓ５６）。ステップＳ５６は、図５で説明したステップＳ１６と同様に実行される。マスタ端末５のマスタ通信部２３は、判定結果を回線切替装置４に送信する（Ｓ２３Ｆ）。回線切替装置４の通信部１３は、判定結果を受信する（Ｓ１３Ｆ）。判定結果が切替実行である場合に、通信部１３はマスタ端末２に対して回線切替通知を送信する（Ｓ１３Ｃ）。マスタ端末５のマスタ通信部２３は、回線切替通知を受信して（Ｓ２３Ｃ）、ＡＣＫ（ACKnowledgement）信号を送信する（Ｓ２３Ｄ）。回線切替装置４の通信部１３は、ＡＣＫ信号を受信する（Ｓ１３Ｄ）。回線切替装置４の回線切替部１７は、判定の結果に基づいて回線切替を実行する（Ｓ１７）。
【００２１】
このように、本実施例の回線切替システム２００によれば、マスタ端末５の判定部５６が、同一契約下にあるものとして認証されたマスタ端末５とスレイブ端末３の同時刻における加速度の差分値に基づいて回線切替判定を行うため、同一契約下のマスタ−スレイブ端末間において適切なタイミングで回線切替を行うことができる。
【００２２】
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００２３】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００２４】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００２５】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００２６】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【００２７】
なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。また、この形態では、コンピュータ上で所定のプログラムを実行させることにより、本装置を構成することとしたが、これらの処理内容の少なくとも一部をハードウェア的に実現することとしてもよい。
【図１】
2015041862.tif 000003
【図２】
2015041862.tif 000004
【図３】
2015041862.tif 000005
【図４】
2015041862.tif 000006
【図５】
2015041862.tif 000007
【図６】
2015041862.tif 000008
【図７】
2015041862.tif 000009
【図８】
2015041862.tif 000010